(57)【要約】      （修正有）【課題】ＡＮＳＩ−４１標準の変更により不正ユーザの介入のないグローバル認証アクティビティを提供すること。【解決手段】本グローバル認証継続機能は、ハンドオフのためにサービス提供中のモバイル・スイッチング・センタになったばかりのモバイル・スイッチング・センタにグローバル認証情報を伝達するために新たなＡＮＳＩ−４１メッセージ（認証グローバル・データ・メッセージ）を使用している。これによって、モバイル加入者ワイヤレス通信デバイスが別のモバイル・スイッチング・センタにハンドオフした場合であってもグローバル認証処理の継続性を提供することができる。転送される情報は、共有秘密データの更新を実行するためのＲＡＮＤ共有秘密データ、Ｕｎｉｑｕｅ  Ｃｈａｌｌｅｎｇｅを実行するためのＲＡＮＤＵ／ＡＵＴＨ、音声プライバシ・マスク、および信号暗号キー（Ｅｎｃｒｙｐｔｉｏｎ  Ｋｅｙ）とすることが可能である。【選択図】図２
2005176340.tif 000002
【特許請求の範囲】
【請求項１】
ある加入者に対してサービス提供中のモバイル・スイッチング・センタで実行しているグローバル認証処理の継続性を提供するためにセルラー式通信ネットワークにおいて動作可能であるグローバル認証継続機能において、該加入者は、前記グローバル認証処理の実行の間に別のモバイル・スイッチング・センタに対してハンドオフ済みであるモバイル加入者ワイヤレス通信デバイスを使用し、本機能は、
サービス提供中のモバイル・スイッチング・センタ内における前記モバイル加入者ワイヤレス通信デバイスからのサービス要求メッセージの受信に応答して、前記サービス要求メッセージが認証処理の開始を要求しているか否かを判定するためのモバイル・スイッチング・センタ・メッセージ識別手段と、
前記サービス要求メッセージが認証処理の開始を要求しているとの判定に応答して、モバイル加入者ワイヤレス通信デバイスが別のモバイル・スイッチング・センタに対してハンドオフ済みであるか否かを判定するためのハンドオフ判定手段と、
認証処理の継続性を維持するために前記別のモバイル・スイッチング・センタにグローバル認証継続メッセージを送信するために前記サービス提供中のモバイル・スイッチング・センタ内に配置されたグローバル認証メッセージ転送手段と、
を備えるグローバル認証継続機能。
【請求項２】
前記別のモバイル・スイッチング・センタが前記グローバル認証継続メッセージを受付可能であるか否かを判定するために前記サービス提供中のモバイル・スイッチング・センタ内に配置されたメッセージ適合性手段をさらに備える請求項１に記載のグローバル認証継続機能。
【請求項３】
前記別のモバイル・スイッチング・センタが前記グローバル認証継続メッセージを受付可能であるとの判定に応答して、別のモバイル・スイッチング・センタに送信するための前記グローバル認証継続メッセージを作成するためのメッセージ・フォーマット手段をさらに備える請求項２に記載のグローバル認証継続機能。
【請求項４】
前記別のモバイル・スイッチング・センタが前記グローバル認証継続メッセージを受付可能でないとの判定に応答して、前記グローバル認証継続メッセージの処理を終了するためのメッセージ・フォーマット手段をさらに備える請求項２に記載のグローバル認証継続機能。
【請求項５】
前記別のモバイル・スイッチング・センタが前記グローバル認証継続メッセージを受付可能でないとの判定に応答して、前記モバイル加入者ワイヤレス通信デバイスに最後にサービス提供しているモバイル・スイッチング・センタに対して認証データ・メッセージ応答を送信するためのホーム認証センタ手段をさらに備える請求項４に記載のグローバル認証継続機能。
【請求項６】
ある加入者に対してサービス提供中のモバイル・スイッチング・センタで実行しているグローバル認証処理の継続性を提供するためにセルラー式通信ネットワークにおいて動作可能であるグローバル認証継続機能を実行する方法において、該加入者は、前記グローバル認証処理の実行の間に別のモバイル・スイッチング・センタに対してハンドオフ済みであるモバイル加入者ワイヤレス通信デバイスを使用し、本方法は、
サービス提供中のモバイル・スイッチング・センタ内における前記モバイル加入者ワイヤレス通信デバイスからのサービス要求メッセージの受信に応答して、前記サービス要求メッセージが認証処理の開始を要求しているか否かを判定する工程と、
前記サービス要求メッセージが認証処理の開始を要求しているとの判定に応答して、モバイル加入者ワイヤレス通信デバイスが別のモバイル・スイッチング・センタに対してハンドオフ済みであるか否かを判定する工程と、
認証処理の継続性を維持するために前記別のモバイル・スイッチング・センタにグローバル認証継続メッセージを送信する工程と、
を含む方法。
【請求項７】
前記別のモバイル・スイッチング・センタが前記グローバル認証継続メッセージを受付可能であるか否かを判定する工程をさらに含む請求項６に記載の方法。
【請求項８】
前記別のモバイル・スイッチング・センタが前記グローバル認証継続メッセージを受付可能であるとの判定に応答して、前記別のモバイル・スイッチング・センタに送信するための前記グローバル認証継続メッセージを作成する工程をさらに含む請求項７に記載の方法。
【請求項９】
前記別のモバイル・スイッチング・センタが前記グローバル認証継続メッセージを受付可能でないとの判定に応答して、前記グローバル認証継続性メッセージの処理を終了する工程をさらに含む請求項７に記載の方法。
【請求項１０】
前記別のモバイル・スイッチング・センタが前記グローバル認証継続メッセージを受付可能でないとの判定に応答して、前記モバイル加入者ワイヤレス通信デバイスに最後にサービス提供しているモバイル・スイッチング・センタに対して認証データ・メッセージ応答を送信する工程をさらに含む請求項９に記載の方法。
【発明の詳細な説明】
【技術分野】
【０００１】
本発明は、セルラー式通信ネットワークに関し、また詳細には、モバイル・スイッチング・センタの間でモバイル加入者ワイヤレス通信デバイスをハンドオフする際にグローバル認証を実施するようにこのネットワーク内において動作可能な機能（ｆｅａｔｕｒｅ）に関する。
【背景技術】
【０００２】
モバイル・スイッチング・センタの間でモバイル加入者ワイヤレス通信デバイスをハンドオフする際にグローバル認証（Ｇｌｏｂａｌ  Ａｕｔｈｅｎｔｉｃａｔｉｏｎ）を実現することはセルラー式通信ネットワークの分野における１つの問題である。このことは、ワイヤレス通信デバイスがモバイル・スイッチング・センタの間の境界状態に遭遇したときに特に問題となる。
【０００３】
既存のセルラー式通信システムは、２つのモバイル・スイッチング・センタ間でＡＮＳＩ−４１標準を介したグローバル認証を実行する能力を有している。モバイル加入者ワイヤレス通信デバイスは、認証キーなどのＣＡＶＥアルゴリズムおよびデータを用いてプログラムされている。この情報は、ＡＮＳＩ−４１標準のＴＢＳ５１に記載されているようなその他のデータと一緒になって、この情報が使用される方法に関する詳細内容を提供する。ホーム認証センタ（Ａｕｔｈｅｎｔｉｃａｔｉｏｎ  Ｃｅｎｔｅｒ：ＡＣ）は、モバイル加入者のホーム区域レジスタ（Ｈｏｍｅ  Ｌｏｃａｔｉｏｎ  Ｒｅｇｉｓｔｅｒ：ＨＬＲ）と通信して共有秘密データ−Ａと共有秘密データ−Ｂという２つの部分に分割されている共有秘密データ（Ｓｈａｒｅｄ  Ｓｅｃｒｅｔ  Ｄａｔａ）を生成させる。ホーム認証センタはさらに、この共有秘密データを用いてモバイル加入者ワイヤレス通信デバイスと通信する。
【０００４】
ホーム認証センタは次いで異なるメッセージの組を使用し、モバイル加入者ワイヤレス通信デバイスに対して、共有秘密データおよび／またはＵｎｉｑｕｅ  Ｃｈａｌｌｅｎｇｅなどのその他のアクティビティを生成するための計算を実行させる。これらのアクティビティは、１）認証指令発動（Ａｕｔｈｅｎｔｉｃａｔｉｏｎ  Ｄｉｒｅｃｔｉｖｅ  Ｉｎｖｏｋｅ）、２）認証要求返信結果（Ａｕｔｈｅｎｔｉｃａｔｉｏｎ  Ｒｅｑｕｅｓｔ  Ｒｅｔｕｒｎ  Ｒｅｓｕｌｔ）、および３）認証不成功報告返信結果（Ａｕｔｈｅｎｔｉｃａｔｉｏｎ  Ｆａｉｌｕｒｅ  Ｒｅｐｏｒｔ  Ｒｅｔｕｒｎ  Ｒｅｓｕｌｔ）という３つのメッセージ組を介してモバイル加入者ワイヤレス通信デバイスに導くことができる。認証要求と認証不成功報告のメッセージはグローバル認証機能を実行している間に判定しかつ生成させている。グローバル認証では、サービス提供中のモバイル・スイッチング・センタがモバイル加入者ワイヤレス通信デバイスに対して、オーバーヘッド・メッセージ・トレイン（Ｏｖｅｒｈｅａｄ  Ｍｅｓｓａｇｅ  Ｔｒａｉｎ）内に含まれている情報を通じて、モバイル加入者ワイヤレス通信デバイスがモバイル・スイッチング・センタにアクセスするたびにＣＡＶＥアルゴリズムを実行することを要求することが必要である。送信されるオーバーヘッド・メッセージ・トレインは、認証ビット組を有しており、かつこのサービス提供中のモバイル・スイッチング・センタによって１つのランダムな数がブロードキャストされる。モバイル加入者ワイヤレス通信デバイスはこの情報、並びにモバイル加入者ワイヤレス通信デバイス内に保存されている共有秘密データ、モバイル識別番号（Ｍｏｂｉｌｅ  Ｉｄｅｎｔｉｆｉｃａｔｉｏｎ  Ｎｕｍｂｅｒ）、および電子的通し番号（Ｅｌｅｃｔｒｏｎｉｃ  Ｓｅｒｉａｌ  Ｎｕｍｂｅｒ）、同じくモバイル加入者ワイヤレス通信デバイスによる発呼のためのダイアル呼び出し番号を構成しているその最後の６桁を使用して認証結果を生成させている。この認証結果は、ＣＡＶＥアルゴリズムの１８ビットの結果であり、ＣＡＶＥアルゴリズム内で使用されているランダム数（ＲＡＮＤＣ）の上位８ビット、およびモバイル加入者ワイヤレス通信デバイス内に保存されている呼履歴カウントを伴って送信される。次いで、サービス提供中のモバイル・スイッチング・センタは、モバイル加入者ワイヤレス通信デバイス内の共有秘密データではなくこの同じ情報を用いて認証結果を生成しており、ホーム認証センタ内に保存されているか巡回先（ｖｉｓｉｔｅｄ）モバイル・スイッチング・センタに送信済みの共有秘密データを用いている。共有秘密データに関するこれら２つの値を比較し、モバイル加入者ワイヤレス通信デバイスに適用するためのサービスのタイプ（該当する場合）、並びにそのモバイル加入者ワイヤレス通信デバイスに要求される可能性がある別のアクティビティが判定される。
【０００５】
これらのアクティビティのうちの１つは、共有秘密データの更新、すなわちモバイル加入者ワイヤレス通信デバイスおよびホーム認証センタ内の共有秘密データを変更し、このモバイル加入者ワイヤレス通信デバイスによって使用されている値のクローナー（ｃｌｏｎｅｒ）による検出を回避することである。別のアクティビティは、そのモバイル加入者ワイヤレス通信デバイスがサービス提供中のモバイル・スイッチング・センタにアクセスしていると考えている本物のモバイル加入者ワイヤレス通信デバイスであるか否かをさらに判定することをホーム認証センタに対して可能にさせているＵｎｉｑｕｅ  Ｃｈａｌｌｅｎｇｅである。あるモバイル加入者ワイヤレス通信デバイスが別のモバイル・スイッチング・センタにハンドオフする際に１つの問題が生じる。認証要求返信結果または認証不成功報告返信結果においてホーム認証センタによって送信された情報は、モバイル加入者ワイヤレス通信デバイスに送信するために新たにサービス提供するモバイル・スイッチング・センタにハンドオフした後には転送されていない。したがって、不正使用に至るような潜在的な状態が生じる。この問題は、境界セルが数多く存在するような極めて輻輳したセルラー式通信ネットワークでは最も厳しいものになる。この環境では、基地局サブシステムの呼処理容量に至った場合には、必要な呼処理容量を提供するためにそのモバイル・スイッチング・センタに追加的な基地局サブシステムが追加される。しかし、モバイル・スイッチング・センタの呼処理容量に至った場合には、モバイル・スイッチング・センタのカバー範囲エリアを縮小しかつ新たなモバイル・スイッチング・センタを装備しており、これによりさらに多くの境界セルが生成される。新たなメディアベースの用途のために加入者人口が増加しかつ呼の保持時間が長くなるので、この問題はさらに支配的になりつつある。
【発明の開示】
【発明が解決しようとする課題】
【０００６】
この問題を改善するには、認証メッセージのためのＡＮＳＩ−４１標準を変更し、不正なユーザやクローン・ユーザが介入する窓口を広げることなく異なる製造元からのモバイル・スイッチング・センタがこれらのグローバル認証アクティビティを実行できるようにしなければならない。
【課題を解決するための手段】
【０００７】
ハンドオフのためにサービス提供中のモバイル・スイッチング・センタになったばかりのモバイル・スイッチング・センタにグローバル認証情報を伝達するために新たなＡＮＳＩ−４１メッセージ（認証グローバル・データ（ＡＵＴＨＥＮＴＩＣＡＴＩＯＮ  ＧＬＯＢＡＬ  ＤＡＴＡ）メッセージ）を使用している本グローバル認証継続機能（ｆｅａｔｕｒｅ）によれば、上述の問題が解決されると共に進歩を達成することができる。これによって、モバイル加入者ワイヤレス通信デバイスが別のモバイル・スイッチング・センタにハンドオフした場合であってもグローバル認証処理の継続性を提供することができる。直前のサービス提供中のモバイル・スイッチング・センタの巡回先区域レジスタから新たにサービス提供するモバイル・スイッチング・センタに転送される情報は、共有秘密データの更新を実行するためのＲＡＮＤ共有秘密データ、Ｕｎｉｑｕｅ  Ｃｈａｌｌｅｎｇｅを実行するためのＲＡＮＤＵ／ＡＵＴＨ、音声プライバシ・マスク、および信号暗号キー（Ｅｎｃｒｙｐｔｉｏｎ  Ｋｅｙ）とすることが可能である。
【０００８】
このグローバル認証継続機能が必要となる一例は、そのモバイル加入者が音声プライバシ機能を得るように加入済みである到来呼接続に対して音声プライバシを利用する場合である。音声プライバシとは、モバイル加入者ワイヤレス通信デバイスの位置において音声信号に対して適用する６６バイトのマスクであって、その音声信号に対する権限のないアクセスを防止するために作成されている。次いでこの６６バイトのマスクは、その音声信号に対する暗号を解除するためにモバイル・スイッチング・センタにおいて再度適用される。ある到来呼が第１のモバイル・スイッチング・センタに到達し、さらにこれをモバイル加入者ワイヤレス通信デバイスに伝達しようとする場合、そのモバイル加入者ワイヤレス通信デバイスはその認証を保証するために認証処理を実行することを要求される。モバイル加入者ワイヤレス通信デバイスは第１のモバイル・スイッチング・センタによる呼び出しを受け（ｐａｇｅｄ）、さらにモバイル・スイッチング・センタによってモバイル加入者ワイヤレス通信デバイスからの呼び出し応答が受け取られる。第１のモバイル・スイッチング・センタはこのモバイル加入者ワイヤレス通信デバイスに対して１つのトラフィック・チャンネルを割り当てると共に警報を発生させて、モバイル加入者ワイヤレス通信デバイスを鳴動させる。この第１のモバイル・スイッチング・センタはさらに、認証要求発動メッセージをモバイル加入者ワイヤレス通信デバイスのホーム区域レジスタおよびホーム認証センタに送信する。この到来呼警報に応答してモバイル加入者は、送信キーを押下すると共にモバイル加入者ワイヤレス通信デバイスを応答させる。第２のモバイル・スイッチング・センタＭＳＣ−Ｂに対するハンドオフが即座に実施されるケースでは、グローバル認証処理の継続性は失われる。認証要求返信結果は、第１のモバイル・スイッチング・センタで受け取られており、モバイル加入者ワイヤレス通信デバイス内に保存されている共有秘密データに対する変更をモバイル加入者ワイヤレス通信デバイスに実施させるためのＲＡＮＤ共有秘密データを含んでいる。モバイル加入者ワイヤレス通信デバイスはすでに別のモバイル・スイッチング・センタにハンドオフ済みであるため、第１のモバイル・スイッチング・センタがグローバル認証の間にこの情報を第２のモバイル・スイッチング・センタに転送するための機構は存在しない。このグローバル認証継続機能では、第１のモバイル・スイッチング・センタは、ハンドオフがすでに発生したこと、並びに第２のモバイル・スイッチング・センタの位置でこの情報を受信することが可能であることを検出する。第１のモバイル・スイッチング・センタは、符号化された音声プライバシ・マスクを備えた認証グローバル・データＡＮＳＩ−４１メッセージを伝達し、このメッセージを第２のモバイル・スイッチング・センタに送信する。次いで、第２のモバイル・スイッチング・センタは音声プライバシ・マスクを適用し、そのモバイル加入者ワイヤレス通信デバイスに対して音声プライバシが現在有効状態にあることを伝える。音声プライバシ・マスクが正常に適用されたら、第２のモバイル・スイッチング・センタは、処理実行成功の肯定応答を第１のモバイル・スイッチング・センタに送信する。音声プライバシ・マスクの適用が不成功であった場合、第２のモバイル・スイッチング・センタは返信結果を介して不成功指示を第１のモバイル・スイッチング・センタに送信することになる。
【発明を実施するための最良の形態】
【０００９】
図１は、境界サービスを有する典型的なセルラー式通信ネットワークの構成が隣接する複数のモバイル・スイッチング・センタの間にあることをブロック図の形態で表している。セルラー式通信ネットワーク１００は、関連する基地局サブシステムによって提供される各呼カバー範囲エリア（セルと呼ぶ）（図示せず）内で動作する複数のモバイル加入者ワイヤレス通信デバイス１２１への無線周波数リンクを提供する１つまたは複数の基地局サブシステム（たとえば、１１１、１１２、１１３）にその各々がサービス提供している複数のモバイル・スイッチング・センタ１０１〜１０４から構成されている。１つのモバイル・スイッチング・センタ１０１は、典型的には加入者のホーム・モバイル・スイッチング・センタと呼ばれており、加入者の識別、認証および呼サービス定義のデータを関連するホーム区域レジスタ１４１内において保持している。その他のモバイル・スイッチング・センタ１０２、１０３、１０４は、そのホームサービスエリアを出て巡回先モバイル・スイッチング・センタ１０２、１０３、１０４の呼カバー範囲エリアに移動する加入者向けの呼権限付与データを保存するために、それ自身のホーム区域レジスタ（図示せず）および巡回先区域レジスタ１４２、１４３、１４４を保持している。別法として、ホーム区域レジスタはスタンドアロンのホーム区域レジスタＳＨＬＲとすることが可能であり、したがってモバイル・スイッチング・センタの一部分でないことがあり得る。
【００１０】
境界サービスエリアの場合には、図１の線１５１、１５２によって示すように、これは第１のモバイル・スイッチング・センタからのサービスが第２のモバイル・スイッチング・センタによって提供されるサービスと重複している場所であるエリアとなる。この状況は、そのモバイル・スイッチング・センタによってサービス提供されているさまざまな基地局サブシステムが送信したセル箇所無線周波数信号が厳密に区画されておらず、またモバイル加入者に対するサービスの継続性を提供するにはある基地局サブシステムからの無線周波数信号を隣接する基地局サブシステムからの無線周波数信号に重複させなければならないために生じている。したがって、複数のセル箇所の間で加入者が移動する際に信頼度が高い通信を保証するために、そのモバイル加入者のワイヤレス通信デバイスは、最も強い信号を発生させる基地局サブシステムを選定するように設計されている。
【００１１】
グローバル認証継続性モバイル加入者要求
図２は、モバイル加入者ワイヤレス通信デバイスからのアクセスに対する応答における本グローバル認証継続機能の動作を流れ図の形態で表している。サービス提供中のモバイル・スイッチング・センタ１０２は、工程３０１においてモバイル加入者ワイヤレス通信デバイス１２１からのアクセス・メッセージを受け取ると共に、工程３０２においてこのモバイル加入者ワイヤレス通信デバイス１２１が移動しているモバイル加入者ワイヤレス通信デバイスであるか否かを判定する。否であれば、サービス提供中のモバイル・スイッチング・センタ１０２は認証のためにＣＡＶＥ処理を実行し、工程３０６において処理は終了する。モバイル加入者ワイヤレス通信デバイス１２１が移動しているモバイル加入者ワイヤレス通信デバイスであれば、サービス提供中のモバイル・スイッチング・センタ１０２は、工程３０４において認証要求と認証不成功報告のいずれかを符号化し、さらに工程３０５においてホーム区域レジスタ１４１を介してＡＮＳＩ−４１メッセージをホーム認証センタ１３２に送信する。
【００１２】
グローバル認証継続処理
図３および４は、モバイル加入者ワイヤレス通信デバイスのためのグローバル認証処理を実行する際の本グローバル認証継続機能の処理を流れ図の形態で表している。サービス提供中のモバイル・スイッチング・センタ１０２は、工程４０１においてモバイル加入者ワイヤレス通信デバイス１２１から認証要求返信結果または認証不成功報告返信結果を受け取り、さらに工程４０２において受け取ったこのメッセージが共有秘密データの更新やＵｎｉｑｕｅ  Ｃｈａｌｌｅｎｇｅの作成を要求しているか否かを判定する。否であれば、工程４０３において処理は終了する。
【００１３】
これらの処置のうちの１つが要求されている場合には、モバイル加入者ワイヤレス通信デバイス１２１が別のモバイル・スイッチング・センタ１０３に対してハンドオフ済みであるか否かをサービス提供中のモバイル・スイッチング・センタ１０２によって判定するために処置は工程４０４に進む。否であれば、要求されたタスクが工程４０５において従来方式で実行されると共に、工程４０３において処理は終了する。モバイル加入者ワイヤレス通信デバイス１２１が別のモバイル・スイッチング・センタ１０３に対してハンドオフ済みである場合には、工程４０６において、サービス提供中のモバイル・スイッチング・センタ１０２は別のモバイル・スイッチング・センタ１０３が認証グローバル・データ・メッセージを受付可能であるか否かを判定する。否であれば、サービス提供中のモバイル・スイッチング・センタ１０２によってさらにモバイル加入者ワイヤレス通信デバイス１２１が別のモバイル・スイッチング・センタ１０３に対してハンドオフ済みであるか否かを判定するために処置は工程４０９に進む。別のモバイル・スイッチング・センタは一連のハンドオフ系列中の第１のモバイル・スイッチング・センタであり、モバイル加入者ワイヤレス通信デバイス１２１へのこの呼接続が開始されたモバイル・スイッチング・センタを意味している。否であれば、ホーム認証センタ１３２がモバイル加入者ワイヤレス通信デバイス１２１に最後にサービス提供中のモバイル・スイッチング・センタ１０２に対する認証データ・メッセージ応答をフォーマットして送信する工程４１０に処置は進み、さらに工程４０３において処理は終了する。モバイル加入者ワイヤレス通信デバイス１２１が別のモバイル・スイッチング・センタ１０３に対してハンドオフ済みであれば、工程４１１においてサービス提供中のモバイル・スイッチング・センタ１０２はホーム区域レジスタ１４１を介したホーム認証センタ１３２に対する認証ステータス報告をフォーマットして送信する。
【００１４】
工程４０６において、この別のモバイル・スイッチング・センタ１０３が認証グローバル・データ・メッセージを受付可能であるとサービス提供中のモバイル・スイッチング・センタ１０２が判定した場合、工程４０７においてサービス提供中のモバイル・スイッチング・センタ１０２はこの別のモバイル・スイッチング・センタ１０３に対する認証データ・メッセージをフォーマットして送信し、さらに工程４０３において処理は終了する。
この処理のその他の工程には、サービス提供中のモバイル・スイッチング・センタ１０２が別のモバイル・スイッチング・センタ１０３から認証データ・メッセージを受け取る工程の例が含まれ、この時点で上述のように処置は工程４０９に進む。
【００１５】
別法として、サービス提供中のモバイル・スイッチング・センタ１０２は、ハンドオフを渡したモバイル・スイッチング・センタ１０１から認証データ・メッセージを受け取り、この時点で処置は、モバイル加入者ワイヤレス通信デバイス１２１が別のモバイル・スイッチング・センタ１０３に対してハンドオフ済みであるか否かをサービス提供中のモバイル・スイッチング・センタ１０２によって判定するための工程４１３に進む。ハンドオフ済みであれば、上述のように処置は工程４０６に進む。否であれば、処置はサービス提供中のモバイル・スイッチング・センタ１０２が要求されたタスクを実行する工程４１４に進み、さらに工程４１５において、ハンドオフを渡したモバイル・スイッチング・センタ１０１に、結果と共に認証データ・メッセージを送信し、さらに工程４０３において処理は終了する。
【００１６】
まとめ
ハンドオフのためにサービス提供中のモバイル・スイッチング・センタになったばかりのモバイル・スイッチング・センタにグローバル認証情報を伝えるために新たなＡＮＳＩ−４１メッセージ（認証グローバル・データ・メッセージ）を使用するグローバル認証機能である。これによって、モバイル加入者ワイヤレス通信デバイスが別のモバイル・スイッチング・センタにハンドオフした場合であってもグローバル認証処理の継続性を提供することができる。
【図面の簡単な説明】
【００１７】
【図１】境界サービスを有する典型的なセルラー式通信ネットワークの構成が隣接する複数のモバイル・スイッチング・センタの間に存在することを表したブロック図である。
【図２】モバイル加入者ワイヤレス通信デバイスからのアクセスに応答した本グローバル認証継続機能の動作を表した流れ図である。
【図３】グローバル認証処理を実行する際の本グローバル認証継続機能の動作を表した流れ図である。
【図４】グローバル認証処理を実行する際の本グローバル認証継続機能の動作を表した流れ図である。
【図１】
2005176340.tif 000003
【図２】
2005176340.tif 000004
【図３】
2005176340.tif 000005
【図４】
2005176340.tif 000006